(57)【特許請求の範囲】
【請求項１】
ディスク表面の保護層から順番に第一の反射層、レーベル記録層、中間層、第二の反射層、データ記録層、基板の順番に接着材にて張り合わせ、もしくは蒸着によって形成している光ディスクにおいて、
光ディスクの前記レーベル記録層のレーザー反射用の前記第一の反射層は、透過率が約３０％、反射率が約３０％の薄い水銀の膜を塗布または蒸着した反射層により形成され、
前記レーベル記録層は、ディスク裏面からのレーザーにて、ピットを書き込み可能であり、かつ、書き込んだ前記ピットを、前記第一の反射層からの反射光により、基板側からのレーザー照射にて確認、消去が可能であり、
さらに、前記レーベル記録層に書き込んだ前記ピットが、前記保護層側から見える様に、前記第一の反射層が半透明で、かつ、前記保護層が透明であることを特徴とするデータ及びレーベルを記録可能な光ディスク。
【請求項２】
ディスク表面の保護層から順番に第一の反射層、レーベル記録層があって、中間層、第二の反射層、データ記録層、の３つの層を１組にしてＮ組（Ｎは１以上の整数）の層を構成した後、最後に基板の順番に接着材にて張り合わせ、もしくは蒸着によって形成している光ディスクにおいて、
光ディスクの前記レーベル記録層のレーザー反射用の前記第一の反射層は、透過率が約３０％、反射率が約３０％の薄い水銀の膜を塗布または蒸着した反射層により形成され、
前記レーベル記録層は、ディスク裏面からのレーザーにて、ピットを書き込み可能であり、かつ、書き込んだ前記ピットを、前記第一の反射層からの反射光により、基板側からのレーザー照射にて確認、消去が可能であり、
さらに、前記レーベル記録層に書き込んだ前記ピットが、前記保護層側から見える様に、前記第一の反射層が半透明で、かつ、前記保護層が透明であることを特徴とするデータ及びレーベルを記録可能な光ディスク。
【請求項３】
ディスク表面の保護層から順番に第一の反射層、レーベル記録層、中間層、第二の反射
層、データ記録層、基板の順番に接着材にて張り合わせ、もしくは蒸着によって形成しており、光ディスクの前記レーベル記録層のレーザー反射用の前記第一の反射層は、透過率が約３０％、反射率が約３０％の薄い水銀の膜を塗布または蒸着した反射層により形成され、
前記レーベル記録層は、ディスク裏面からのレーザーにて、ピットを書き込み可能であり、かつ、書き込んだ前記ピットを、前記第一の反射層からの反射光により、基板側からのレーザー照射にて確認、消去が可能であり、
さらに、前記レーベル記録層に書き込んだ前記ピットが、前記保護層側から見える様に、前記第一の反射層が半透明で、かつ、前記保護層が透明であるデータ及びレーベルを記録可能な光ディスクの記録再生装置であって、
光ディスクの前記レーベル記録層と前記データ記録層にフォーカスを合わせることができる光ディスクのレーベル記録層用とデータ記録層用それぞれ専用のレーザー１及びレーザー２を持ち、レーザー１とレーザー２は一体となって同時に動くことを特徴とした光ディスク記録再生装置。
【請求項４】
ディスク表面の保護層から順番に第一の反射層、レーベル記録層があって、中間層、第二の反射層、データ記録層、の３つの層を１組にしてＮ組（Ｎは１以上の整数）の層を構成した後、最後に基板の順番に接着材にて張り合わせ、もしくは蒸着によって形成しており、光ディスクの前記レーベル記録層のレーザー反射用の前記第一の反射層は、透過率が約３０％、反射率が約３０％の薄い水銀の膜を塗布または蒸着した反射層により形成され、
前記レーベル記録層は、ディスク裏面からのレーザーにて、ピットを書き込み可能であり、かつ、書き込んだ前記ピットを、前記第一の反射層からの反射光により、基板側からのレーザー照射にて確認、消去が可能であり、
さらに、前記レーベル記録層に書き込んだ前記ピットが、前記保護層側から見える様に、前記第一の反射層が半透明で、かつ、前記保護層が透明であるデータ及びレーベルを記録可能な光ディスクの記録再生装置であって、
光ディスクの前記レーベル記録層と前記データ記録層にフォーカスを合わせることができる光ディスクのレーベル記録層用とデータ記録層用それぞれ専用のレーザー１及びレーザー２を持ち、レーザー１とレーザー２は一体となって同時に動くことを特徴とした光ディスク記録再生装置。
【発明の詳細な説明】
【技術分野】
【０００１】
本発明は、ディジタルデータ及び文字・絵等のイメージをレーベル面から見える様にレーベル面の裏側のディジタルデータを記録する面から記録可能な光ディスク、光磁気ディスク及びそのディジタルデータ及びイメージの記録再生装置に関する。
【背景技術】
【０００２】
近年、映像・音声信号を記録する民生用の機器として光又は光磁気を使用したディジタルデータを記録再生可能なディジタルビデオディスク（ＤＶＤ＿ＲＡＭ、ＤＶＤ−ＲＷ、ＤＶＤ＋ＲＷ規格等が有る。以下、“光ディスク”と呼ぶ。）とハードディスクを内蔵したディジタルビデオディスクレコーダー（以下“ＨＤＤレコーダー”と呼ぶ）が普及してきている。
【０００３】
現在、記録済みの光ディスクの録画内容を表示する為に、データ記録面と逆側のレーベル面に手書きもしくはプリンターにて録画済データのタイトル名等の情報を書き込む事が一般的に行われている。
【０００４】
しかし、手書きでは見苦しいのとプリンターを使用する場合は光ディスクのレーベル面に印字可能なプリンターを用意しなければならないし、一旦光ディスクをＨＤＤレコーダーから取り外してプリンターにセットする必要があるので煩わしい。又、プリンターの場合は一旦書いた文字を消せないという問題が有る。
【０００５】
上記の様な問題点に対して、レーベル面にタイトル名等のイメージを書き込む従来例としては、特許文献１に記載された光記録媒体及びイメージの形成方法の様に光ディスクの１／２の厚さでデータを記録できる様にして、そのディスクを２枚貼り付けてディジタルデータの記録層と逆側の層に文字や絵等のイメージを書き込むという方法が開示されている。
【特許文献１】特開平１１−１１０８１６号公報
【発明の開示】
【発明が解決しようとする課題】
【０００６】
しかしながら、上記の従来例の特許文献１においては、レーベル面からイメージを書き込む場合、ディジタルデータ記録用とは別のイメージ書き込み用レーザーもしくはキセノンランプが必要となり、コストアップにつながる。
又、データ記録用レーザーをイメージ書き込み用としても使用する場合、レーベル面がデータ記録用レーザー側に来る様にいちいちディスクを裏返す必要があり、煩わしい。
今回のデータ及びレーベル記録媒体とその作成装置は上記の従来例を鑑み、レーベル面にタイトル等の情報を書き込む場合にいちいち光ディスクを裏返す必要が無く、レーベル面の情報を書き換える事も可能であり、又、ディジタルデータの記録と同時にレーベル面の情報を書き込み、ＨＤＤレコーダーのデータを光ディスクにダビングする時に同時にタイトルも書き込む構成も可能でタイトル作成時間をわざわざ取らない事もでき、さらにＥＰＧ等の電子番組表からの番組情報を元に日付やタイトルも書き込む様にすれば、現行の光ディスクのタイトル作成をほぼ全自動で行わせる事もできるようにすること、即ち、本発明は、光ディスクのレーベルの作成の手間を大幅に省くことを目的とする。
【課題を解決するための手段】
【０００７】
本発明のデータ及びレーベルを記録可能な光ディスクは、ディスク表面の保護層から順番に反射層、レーベル記録層、中間層０、反射層０、データ記録層０、基板０の順番に接着材にて張り合わせもしくは蒸着している光ディスクにおいてディスク裏面からレーザーにてピットを書き込み消去可能なレーベル記録層に書き込んだピットが保護層側から見える様に反射層を半透明にして、さらに保護層を透明にする事を特徴とする。
【発明の効果】
【０００８】
以上述べてきた様に本発明のデータ及びレーベルを記録可能な光ディスク及びその記録再生装置は、請求項１に述べた様に、本発明のデータ及びレーベルを記録可能な光ディスクを用い、他のレーベル面印字方式と違いディスクをいちいちひっくり返さなくてもレーベルに印字可能で、かつ、データ（ピット）を書き換え可能な記録層と同じ材質を使用する事によりレーベル面の印字内容を書き換える事ができる。
【発明を実施するための最良の形態】
【０００９】
以下、本発明のデータ及びレーベルを記録可能な光ディスク及びその記録再生装置の一実施例について図面を用いて説明する。
【実施例１】
【００１０】
まず、本発明の一実施形態を詳細に述べる前に装置の概略構成及び光ディスクの構成について図面を用いて説明を行う。図１は本発明の一実施形態の全体の機構の概略及びデータ及びレーベルを記録可能な光ディスクについて示す。
【００１１】
図１において本発明の光ディスク記録再生装置の方は光ディスクのデータ記録面の下側にレーザーを支持し、リニアモータを動かしてレーザーを前後に動かすスライダとその上のレーザーとレーザーを左右と上下に３次元的に動かす２軸アクチュエーターを搭載したレーザー１から構成される。なお、レーザー１は少なくともディスクのデータ記録面と反対側のレーベル記録面の２箇所にフォーカスがロックする性能を有するものを使用する。
【００１２】
次に、図２は本発明のデータ及びレーベルを記録可能な光ディスクの一実施例を示す。図２（ａ）においてレーベル記録面から説明する。
本発明の光ディスクは、保護層、反射層、レーベル記録層、中間層０、反射層０、データ記録層０、基板０から構成される。
【００１３】
ここで、保護層は紫外線硬化樹脂等の透明な樹脂で、その下の半透明な反射層を保護する。半透明な反射層はレーベル記録層のピットがレーベル記録面から見える役割とピットを消去する時にレーザーと同じ位置に有る受光素子で記録済みのピットを判断する時に光を反射する役割を有する。反射率は２０％前後である。次に、半透明のレーベル記録層はディジタルデータの記録層と同じ材質で、レーザーの熱により物質の“結昌状態”と“アモルファス状態”を変化、即ち反射率を変化させてピットの有無によりディジタルデータの“０”と“１”を記録する。ピットの有無で反射率を変化できる為、ピットを画素と考えると、ピットの大きさは通常１μｍ以下なので光ディスクのタイトルはもちろん、写真の様な相当細かい濃淡も表現できる。
【００１４】
中間層０はポリカーボネート等の透明な樹脂でできていて保護層、反射層、レーベル記録層のベース基板として機能している。反射層０はその下の記録層０の記録済みのピットを判断する時に光を反射する。
反射層０の反射率は４０〜５０％程度なので、レーベル記録層側にもレーザーの光は届く。
データ記録層０は上記のレーベル記録層と同じ材質で同じ様にディジタルデータをピットにて記録したり、自由に消去できる。この層は光を通す様に非常に薄く基板０上にスパッタリングされている。ポリカーボネート等の透明な樹脂でできている基板０はスパッタリングされている反射層０、記録層０の非常に薄い層のベース基板として機能している。
【実施例２】
【００１５】
次に図２（ｂ）は本発明のデータ及びレーベルを記録可能な光ディスクの一実施をＮ（Ｎは２以上）層ディスクに適用した場合を示す。
光ディスクのレーベル記録面から３層とディスクのデータ記録面から３層の間に中間層、反射層、記録層を一組としてＮ−１層挟みこんでいけばＮ層ディスクにも本発明のレーベル記録方式を適用できる。
【実施例３】
【００１６】
次に、本発明のデータ及びレーベルを記録可能な光ディスクの記録再生装置についてもう少し具体的に述べる。
図３にデータ及びレーベルを記録再生可能な光ディスク記録再生装置の一実施例を示す。
本発明の光ディスク記録再生装置は前述した構成のデータ及びレーベルを記録可能な光ディスクにデータを記録したい場合とレーベルを記録したい場合とで大きな違いはフォーカスサーボの制御が違う点なので、以下、フォーカスサーボの手順について簡単に説明を行っていく。
【００１７】
なお、図示しないが、本発明には通常の光ディスク記録再生装置と同じく制御用マイコンとフォーカスサーボ以外のサーボ機構であるディスクの回転数・位相制御、スライダ上でレーザー１を動かすスライダ制御、トラッキング制御と信号処理回路が必要不可欠なのは言うまでも無い。
【００１８】
図３の２：レーザー１において、２０はレーザーダイオード及び受光素子、２１はビームスプリッタ、２２は対物レンズ、２３は４分割フォトダイオード、２４はフォーカス誤差検出回路、２５はオフセット電圧付加回路、２６はフォーカスコイルである。
ここで、レーザーダイオード及び受光素子：２０は電圧を加えるとレーザー光を発するレーザーダイオードと反射光の光量でピットの有無（＝データの“１”と“０”）を判定する受光素子から構成される。ビームスプリッタ：２１は光ディスク：０に当たったレーザーが反射してきた光を受光素子用とフォーカスサーボ用の制御信号に分離する。対物レンズ：２２はレーザーダイオード：２０からの光とその反射光を集光する。４分割フォトダイオード：２３はフォトダイオードＡ〜Ｄにてレーザー光（＝フォーカスの誤差信号）を検出してＶＡ〜ＶＤの電圧を出力する。フォーカス誤差検出回路：２４は（ＶＡ＋ＶＢ）−（ＶＣ＋ＶＤ）の値を計算する回路である。オフセット電圧付加回路：２５はフォーカスコイルへ行く電圧量をレーベル記録面とデータ記録面で変化させる為の回路である。フォーカスコイル：２６は対物レンズ：２２に固定していて、コイル（＝電磁石）に行く電圧量を調整する事により、コイルの近くにある永久磁石（図示せず）との反発力を利用して対物レンズを動かす。
【００１９】
図３の機構を使用してフォーカスを合わせる手順を説明する。
○データ記録層にフォーカスを合わせる手順
レーザーダイオード及び受光素子：２０から出たレーザーはビームスプリッタ：２１を透過し、対物レンズ：２２にて集光された光は、通常はオフセット付加回路からの印加電圧が０なので、ディスクのデータ用の反射層０で反射されてくる。反射光はビームスプリッタ：２１にてレーザーダイオード及び受光素子：２０の受光素子にてピットの有無を判断すると共に４分割フォトダイオード：２３へ反射光の一部を送る。２３はフォトダイオードＡ〜Ｄへ行く光の量に応じてＶＡ〜ＶＤの電圧を発生する。発生した電圧はフォーカス誤差信号検出回路：２４にて
（ＶＡ＋ＶＢ）−（ＶＣ＋ＶＤ）の演算を行う。なお、
（ＶＡ＋ＶＢ）−（ＶＣ＋ＶＤ）＝  ０  ならフォーカスはＯ．Ｋ
（ＶＡ＋ＶＢ）−（ＶＣ＋ＶＤ）＞  ０  ならフォーカスポイントが記録層より遠い
（ＶＡ＋ＶＢ）−（ＶＣ＋ＶＤ）＜  ０  ならフォーカスポイントが記録層より近い
という事が言える。
【００２０】
上記の電圧がフォーカスコイル：２６へ送られて、０なら動かさない、０より大きい場合はレンズを下に動かす、０より小さい場合はレンズを上に動かす様な制御を行う。
○レーベル記録層にフォーカスを合わせる手順
レーザーダイオード及び受光素子：２０から出たレーザーはビームスプリッタ：２１を透過し、対物レンズ：２２にて集光された光は、マイコン（図示せず）の指令によりオフセット付加回路：２５からの印加電圧がＶＬになっているので、ディスクのレーベル記録用の反射層で反射されてくる。反射光はビームスプリッタ：２１にてレーザーダイオード及び受光素子：２０の受光素子にてピットの有無を判断すると共に４分割フォトダイオード：２３へ反射光の一部を送る。２３はフォトダイオードＡ〜Ｄへ行く光の量に応じてＶＡ〜ＶＤの電圧を発生する。発生した電圧はフォーカス誤差信号検出回路：２４にて
（ＶＡ＋ＶＢ）−（ＶＣ＋ＶＤ）の演算を行う。なお、
（ＶＡ＋ＶＢ）−（ＶＣ＋ＶＤ）＋ＶＬ  ＝  ０  ならフォーカスはＯ．Ｋ
（ＶＡ＋ＶＢ）−（ＶＣ＋ＶＤ）＋ＶＬ＞  ０  ならフォーカスポイントが記録層より遠い
（ＶＡ＋ＶＢ）−（ＶＣ＋ＶＤ）＋ＶＬ＜  ０  ならフォーカスポイントが記録層より近いという事が言える。上記の電圧がフォーカスコイル：２６へ送られて、０なら動かさない、０より大きい場合はレンズを下に動かす、０より小さい場合はレンズを上に動かす様な制御を行う。
【００２１】
以上述べてきた制御を行う事によりレーベル記録層に１μｍ以下の大きさのピット単位で任意の文字や図や写真等のイメージを書き込む事ができる。
なお、レーベル記録層に書き込むデータは本発明の光ディスク記録再生装置がパソコンに内蔵された場合はユーザーがパソコンから入力できるし、電子番組表が受信可能なパソコンやＨＤＤレコーダーならＥＰＧ等の電子番組表からのタイトルや日付や番組の情報を制御用マイコン（図示せず）に取り込んでそのデータをレーベル記録層に自動で書き込む様にすれば、ユーザーがレーベルにタイトル等の情報を書き込む手間は大幅に軽減されると言える。
【００２２】
なお、本発明は光ディスクをいちいちひっくり返さずにデータ記録用レーザーによりディスクのデータ記録面方向から書いた文字や図や写真の情報をレーベル面から見る様にした発明で、そのままだと文字等が左右逆になるので、制御用マイコンにて、レーベルに書き込む前に書き込むデータをレーベル面から見て正しく見える様に変換する必要が有る事は言うまでもない。
【実施例４】
【００２３】
次に図４を用いて本発明の他の実施例を説明していく。
図４にデータ及びレーベルを記録再生可能な光ディスク記録再生装置の他の実施例を示す。
図４でレーザー１は前述している為省略する。レーザー２：３において３０はレーザーダイオード及び受光素子、３１はビームスプリッタ、３２は対物レンズ、３３は４分割フォトダイオード、３４はフォーカス誤差検出回路、３６はフォーカスコイルである。
【００２４】
図４は、図３のレーザー：１をレーベル記録層専用にして、新たにデータ記録専用のレーザー２：３を追加して、レーザー１とレーザー２を固定して、レーザー１とレーザー２をいっしょに動かす様にした装置である。レーザー２にてディジタルデータの記録再生の為ディスクの任意の位置にアクセスした場合、レーザー１とレーザー２の相対的な位置が予め分かっている為、レーザー１も希望の位置に動かす事ができるので、レーザー１の制御回路が大幅に簡略化できる。
【００２５】
レーザー２は、レーザー１からオフセット付加回路：２５を省いただけなのでそのフォーカスを合わせる手順はレーザー１は前述した“○レーベル記録層にフォーカスを合わせる手順”、レーザー２は“○データ記録層にフォーカスを合わせる手順”とほぼ同じなのでそちらを参照して欲しい。
【００２６】
図４の様な構成にすれば、パソコンやＨＤＤレコーダーのハードディスクからのデータを光ディスクにダビングする時にダビングが完了すると同時に文字や図や写真の情報を書き終えるので、特にＥＰＧからのタイトルや番組の情報をレーベル記録層に自動で書き込む場合の待ち時間がゼロ（データと同時に書き込みができる為）となり、ユーザーの利便性が大幅に向上する。
【００２７】
又、レーベル面記録用レーザー１のピットは１μｍ以下なら多少大きくても十分実使用に足りる。従って、レーザー１はＣＤ−ＲやＤＶＤ−Ｒ用の安価なレーザーでも使用できる為、レーザー１を追加するコストＵＰは最小限で済む。
なお、本発明はレーザー２にてディジタルデータ記録再生時、光ディスク上の任意の位置（アドレスとも呼ぶ）にアクセスできる為、レーザー１がレーベル記録層にアクセスするのが簡単になる様、レーザー１とレーザー２を固定して、一体化してスライダ上を動かす構成とした。しかし、データ及びレーベルを記録可能な光ディスクのレーベル記録層内にアドレスが判別できる様にランド・グルーブやアドレス用ピットを設ける方法によりレーザー１とレーザー２を別々に制御しても、制御がより複雑になるが、レーベル記録層にアクセスする事はできる。
【００２８】
以上、本発明の光ディスク記録再生装置の実施例について述べてきたが、次に本発明のデータ及びレーベルを記録可能な光ディスクの実施例についてもう少し述べていく。
【００２９】
図２（ａ），（ｂ）のデータの記録層とレーベル記録層はレーザーの熱を利用した層変化を利用して書き換え可能としたが、実際にレーベル面に書き込むと多少見ずらいという点があるので、レーベル記録層にＤＶＤ−Ｒで使用しているアゾ系やアニン系の色素を使用すれば、書き換えが難しいがより見易くなると言える。
又、レーベル記録層のレーザー反射用の半透明反射層を透過率が約３０％、反射率が約３０％の薄い水銀の膜を使用した、いわゆる“マジックミラー”にした場合、データ記録面側から照射したレーザーの反射率向上（フォーカスがロックし易くなる）やユーザーが光ディスクを取り出してレーベル面から見た場合の文字等の表示が鮮明に見える可能性が有る事が期待できるので、データ及びレーベルを記録可能な光ディスクをこの様な構成にしても良い。
【００３０】
なお、本発明の各実施の形態について付記する。本発明の付記１に係るデータ及びレーベルを記録可能な光ディスクはディスク表面の保護層から順番に反射層、レーベル記録層、中間層０、反射層０、データ記録層０、基板０の順番に接着材にて張り合わせもしくは蒸着している光ディスクにおいてディスク裏面からレーザーにてピットを書き込み消去可能なレーベル記録層に書き込んだピットが保護層側から見える様に反射層を半透明にして、さらに保護層を透明にする事を特徴とする。
本発明の付記２に係るデータ及びレーベルを記録可能な光ディスクはディスク表面の保護層から順番に反射層、レーベル記録層があって、中間層、反射層、データ記録層、の３つの層を１組にしてＮ組（Ｎは１以上の整数）の層を構成した後、最後に基板０の順番に接着材にて張り合わせもしくは蒸着している光ディスクにおいてディスク裏面からレーザーにてピットを書き込み消去可能なレーベル記録層に書き込んだピットが保護層側から見える様に反射層を半透明にして、さらに保護層を透明にする事を特徴とする。
本発明の付記３に係るデータ及びレーベルを記録可能な光ディスク記録再生装置は上記付記１又は付記２の光ディスクのレーベル記録層とデータ記録層のいずれにもフォーカスを合わせる事ができる様なレーザーとフォーカスサーボ機構を備えた。
本発明の付記４に係るデータ及びレーベルを記録可能な光ディスク記録再生装置は上記付記１又は付記２の光ディスクのレーベル記録層用とデータ記録層用それぞれ専用のレーザー１及びレーザー２を持ち、レーザー１とレーザー２は一体となって同時に動く事を特徴とした。
本発明の付記５に係るデータ及びレーベルを記録可能な光ディスク記録再生装置は上記付記１又は付記２の光ディスクのレーベル記録層用とデータ記録層用それぞれ専用のレーザー１及びレーザー２を持ち、レーザー１とレーザー２は別々に動く事を特徴とした。
本発明の付記６に係るデータ及びレーベルを記録可能な光ディスク記録再生装置は上記付記３又は付記４の光ディスク記録再生装置のレーベルに記録する情報として、パソコン又はハードディスク付きディジタルビデオディスクレコーダーのＥＰＧ等の電子番組情報からの情報を用いる事を特徴とする。
本発明の付記７に係るデータ及びレーベルを記録可能な光ディスクは上記付記１又は付記２の光ディスクのレーベル記録層にレーザーの熱により反射率が変化する色素を用いる事を特徴とする。
本発明の付記８に係るデータ及びレーベルを記録可能な光ディスクは上記付記１又は付記２の光ディスクの反射層に透過率と反射率が同じで共に５０％以下の薄い水銀の膜を使用する事を特徴とする。
【００３１】
以上述べてきた、本発明のデータ及びレーベルを記録可能な光ディスク及びその記録再生装置は、付記１に述べた本発明のデータ及びレーベルを記録可能な光ディスクを用い、他のレーベル面印字方式と違いディスクをいちいちひっくり返さなくてもレーベルに印字可能で、かつ、データ（ピット）を書き換え可能な記録層と同じ材質を使用する事によりレーベル面の印字内容を書き換える事ができる。
付記２に述べた本発明の光ディスク記録再生装置はデータ記録面２層以上の多層記録のディスクであっても、問題無くレーベル記録層に印字できる。
付記３に述べた本発明の光ディスク記録再生装置はフォーカスサーボを工夫して、レーベル記録層とデータ記録層の２焦点にそれぞれフォーカスをロックさせる事ができる。
付記４に述べた本発明の光ディスク記録再生装置は付記１又は請求項２で述べたデータ及びレーベルを記録可能な光ディスクにおいてレーベル記録層用とデータ記録層用にレーザーを分けて、かつ２つのレーザーを固定する事によりレーザーの制御が簡略化でき、データ記録と同時にレーベルも印字ができ、レーベルの印字の為に特別に時間を割かなくても良くなる。
付記５に述べた本発明の光ディスク記録再生装置はレーベル記録層用とデータ記録層用にレーザーを分けて、かつ２つのレーザーを自由に動かせるようにしてもデータ記録と同時にレーベルの印字ができる。
付記６に述べた本発明の光ディスク記録再生装置は付記３又は請求項４で述べた光ディスク記録再生装置においてパソコンやＨＤＤレコーダーのＥＰＧ等の電子番組情報からのタイトルや日付や収録時間等の番組情報を受け取りその情報を自動的にレーベル記録層に書き込むようにすればユーザーの利便性がさらに向上する。
付記７に述べた本発明の光ディスク記録再生装置は付記１又は請求項２で述べたデータ及びレーベルを記録可能な光ディスクにおいてレーベル記録層にＤＶＤ−Ｒ等で使用しているアゾ系やアニン系の色素を使用する事により鮮明に印字できる。レーベルの書き換えが難しくなるが、特に、本発明の光ディスクをＤＶＤ−Ｒ等の書き換えができない光ディスクに適用する場合に有効だと言える。
付記８に述べた本発明のデータ及びレーベルを記録可能な光ディスクは付記１又は付記２で述べた光ディスクにおいてフォーカスを合わせる時のレーベル記録層のレーザー反射層である反射層１に透過率と反射率が同じで共に５０％以下である薄い水銀の膜、いわゆる、マジックミラーと呼ばれる膜を使用する事によりフォーカスがロックし易くなるレーザーの反射率向上やユーザーがディスクを取り出してレーベル面から見た場合の文字等の表示が鮮明に見える事を期待できる。
【図面の簡単な説明】
【００３２】
【図１】図１は、データとレーベルを記録可能な光ディスクとレーザー１の関係を示す図である。
【図２】図２（ａ）は、データとレーベルを記録可能な光ディスクの一実施例（通常時）を示し、図２（ｂ）は、データとレーベルを記録可能な光ディスクの一実施例（Ｎ層記録時）を示す図である。
【図３】図３は、データとレーベルを記録可能な光ディスク記録再生装置の一実施例。
【図４】図４は、データとレーベルを記録可能な光ディスク記録再生装置の他の実施例を示す図である。
【符号の説明】
【００３３】
０    光ディスク
１    スライダ
２    レーザー１
３    レーザー２
２０    レーザーダイオード及び受光素子
２１    ビームスプリッタ
２２    対物レンズ
２３    ４分割フォトダイオード
２４    フォーカス誤差検出回路
２５    オフセット付加回路
２６    フォーカスコイル
３０    レーザーダイオード及び受光素子
３１    ビームスプリッタ
３２    対物レンズ
３３    ４分割フォトダイオード
３４    フォーカス誤差検出回路
３６    フォーカスコイル
【図１】
0004580857.tif 000002
【図２】
0004580857.tif 000003
【図３】
0004580857.tif 000004
【図４】
0004580857.tif 000005